(57)【特許請求の範囲】
【請求項１】
通信網から無線チャネル切断のメッセージを無線手段が受信したことに応じて通信チャネルの解放を行うことが可能な制御手段を備えた無線通信端末を具備した無線通信システムにおいて、
無線通信端末の制御手段は、無音状態が所定時間以上継続していることを検出したときには、無音状態が所定時間以上継続していることを通知するメッセージを前記無線手段により通信網に送信させ、
通信網は、無線通信端末から前記メッセージを受信したことに応じて無線チャネル切断のメッセージを無線通信端末に送信することを特徴とする無線通信システム。
【請求項２】
前記無線通信端末の制御手段は、音声符号化における量子化利得に基づいて無音状態であるか否かを検出することを特徴とする請求項１記載の無線通信システム。
【発明の詳細な説明】
【０００１】
【発明の属する技術分野】
本発明は、携帯電話端末などの無線通信端末と通信網とを具備した無線通信システムに関する。
【０００２】
【発明が解決しようとする課題】
近年、電気通信技術の進歩に伴って、携帯電話端末などの無線通信端末が広く普及している。ところで、携帯電話端末においては、通信チャネルに何らかのトラブルが発生すると、それが原因となって、通信チャネルを確立しているのにも拘らず、突発的に無音状態になることがある。
【０００３】
しかしながら、無音状態が長時間にわたって継続してしまうと、その間は、音声を通信することが不可能となるので、使い勝手に劣るものである。また、通信料金が通信時間に依存する従量課金制を採用していれば、その間は、音声を通信することが不可能であるのにも拘らず、その何らかのトラブルが発生した通信チャネルを確立していることにより、通信料金が課金されることになるので、経済性にも劣るものである。
【０００４】
本発明は、上記した事情に鑑みてなされたものであり、その目的は、無音状態が長時間にわたって継続することを未然に回避するができ、それによって、使い勝手の向上を図ることができ、また、従量課金制を採用している場合であれば、経済性の向上をも図ることができる無線通信システムを提供することにある。
【００１０】
【課題を解決するための手段】
請求項１記載の無線通信システムによれば、無線通信端末において、制御手段は、無音状態が所定時間以上継続していることを検出すると、無音状態が所定時間以上継続していることを通知するメッセージを無線手段により通信網に送信させ、通信網は、無線通信端末から上記メッセージを受信すると、無線チャネル切断のメッセージを無線通信端末に送信するように構成したので、これに応じて、無線通信端末は、通信網から無線チャネル切断のメッセージを受信すると、通信チャネルの解放（切断）を行うようになる。
【００１１】
したがって、無音状態の原因となった通信チャネルの解放を行うことにより、通信チャネルが正常に解放すれば、これ以降、無音状態が長時間にわたって継続することを未然に回避することができ、また、新たな発呼を行うことにより、その新たな発呼により確立した通信チャネルが正常であれば、音声を通信することができる。これにより、使い勝手の向上を図ることができ、また、通信料金が通信時間に依存する従量課金制を採用している場合であれば、経済性の向上をも図ることができる。
【００１４】
請求項２記載の無線通信システムによれば、無線通信端末において、制御手段は、音声符号化における量子化利得に基づいて無音状態であるか否かを検出するように構成したので、量子化利得が音声符号化の処理を行う際に算出される物理量であることから、別途、無音状態であるか否かを検出するための新たな物理量を算出する必要はなく、無音状態であるか否かを比較的簡単に検出することができる。
【００１５】
【発明の実施の形態】
（第１の実施の形態）
以下、本発明を携帯電話端末に適用した第１実施例について、図１および図２を参照して説明する。
まず、図１は、携帯電話端末の電気的な機能ブロックおよびネットワークの構成を概略的に示している。携帯電話端末１において、ＣＰＵ２（本発明でいう制御手段）は、無線処理を行う無線回路３（本発明でいう無線手段）、マイクロホン４が入力する送話音声およびレシーバ５が出力する受話音声の音声処理を行う音声回路６、通話を開始するための「通話開始」キー、通話を終了するための  「通話終了」キー、数字「０」〜「９」を入力するための「数字」キーなどの多数のキーを配設してなるキーパッド７、各種の表示情報を表示するディスプレイ８ならびに各種の記憶情報を記憶するメモリ９を接続している。
【００１６】
この場合、携帯電話端末１が携帯電話網１０（本発明でいう通信網）における基地局１１のサービスエリア内に位置していると仮定すると、携帯電話端末１は、通信中においては、社団法人電波産業会が規格化している無線状態報告２のメッセージを基地局１１に送信する。そして、基地局１１は、携帯電話端末１から無線状態報告２のメッセージを受信すると、その無線状態報告２のメッセージに格納されている情報要素を解読することにより、社団法人電波産業会が規格化している切替先無線チャネル指定のメッセージを携帯電話端末１に送信する。そして、携帯電話端末１は、基地局１１から切替先無線チャネル指定のメッセージを受信すると、その切替先無線チャネル指定のメッセージに格納されている情報要素を解読することにより、通信チャネルの切替えを行う。
【００１７】
次に、上記した構成の作用について、図２も参照して説明する。
携帯電話端末１において、ＣＰＵ２は、通信中にあっては、音声符号化における量子化利得の値を判定することにより、無音状態であるか否かを検出している。さて、ここで、通信チャネルに何らかのトラブルが発生し、それが原因となって無音状態になると、ＣＰＵ２は、音声符号化における量子化利得の値が極めて小さな値となったことを検出することにより、無音状態となったことを検出し、無音状態が継続する時間を計測するための無音継続監視タイマをスタートさせる。
【００１８】
そして、ＣＰＵ２は、無音継続監視タイマがタイムアップしたことを検出すると、無線回路３を送信制御し、無線状態報告２のメッセージを携帯電話網１０の基地局１１に送信させる。尚、この場合、無音継続監視タイマの計測時間、つまり、無音継続監視タイマがタイムアップする値は、例えば１０秒である。
【００１９】
携帯電話網１０において、基地局１１は、携帯電話端末１から無線状態報告２のメッセージを受信すると、その無線状態報告２のメッセージに格納されている情報要素を解読することにより、切替先無線チャネル指定のメッセージを携帯電話端末１に送信する。
【００２０】
そして、携帯電話端末１において、ＣＰＵ２は、基地局１１から切替先無線チャネル指定のメッセージを受信すると、その切替先無線チャネル指定のメッセージに格納されている情報要素を解読することにより、通信チャネルの切替えを行う。
【００２１】
以上に説明したように第１実施例によれば、携帯電話端末１において、無音状態を検出すると、無音継続監視タイマをスタートさせ、無音継続監視タイマがタイムアップしたことを検出すると、無線状態報告２のメッセージを携帯電話網１０に送信するように構成したので、これに応じて、携帯電話網１０は、携帯電話端末１から無線状態報告２のメッセージを受信すると、切替先無線チャネル指定のメッセージを送信するようになり、携帯電話端末１は、携帯電話網１０から切替先無線チャネル指定のメッセージを受信すると、通信チャネルの切替えを行うようになる。
【００２２】
したがって、無音状態の原因となった通信チャネルから他の通信チャネルへの切替えを行うことにより、切替先の通信チャネルが正常であれば、これ以降、無音状態が長時間にわたって継続することを未然に回避することができ、音声を通信することができる。これにより、使い勝手の向上を図ることができ、また、通信料金が通信時間に依存する従量課金制を採用していれば、経済性の向上をも図ることができる。
【００２３】
また、この場合は、携帯電話端末１において、音声符号化における量子化利得に基づいて無音状態であるか否かを検出するように構成したので、量子化利得が音声符号化の処理を行う際に算出される物理量であることから、別途、無音状態であるか否かを検出するための新たな物理量を算出する必要はなく、無音状態であるか否かを比較的簡単に検出することができる。
【００２４】
（第２の実施の形態）
次に、本発明の第２実施例について、図３を参照して説明する。尚、上記した第１実施例と同一部分については説明を省略し、以下、異なる部分について説明する。
上記した第１実施例は、基地局１１が携帯電話端末１から社団法人電波産業会により規格化されている無線状態報告２のメッセージを受信したことに応じて切替先無線チャネル指定のメッセージを送信する構成を説明したものであるが、これに対して、この第２実施例は、携帯電話システム内で独自のメッセージを規定することにより、基地局１１が携帯電話端末１から携帯電話システム内で独自に規定されているメッセージを受信したことに応じて切替先無線チャネル指定のメッセージを送信するように構成したものである。
【００２５】
すなわち、携帯電話システム内においては、携帯電話端末１における無音状態が所定時間以上継続したことを通知するメッセージとして、無音状態継続通知のメッセージを規定している。
【００２６】
そして、この場合、携帯電話端末１において、ＣＰＵ２は、無音継続監視タイマがタイムアップしたことを検出すると、無線回路３を送信制御し、上記した第１実施例で説明した無線状態報告２のメッセージを送信させることに代わって、上記した無音状態継続通知のメッセージを送信させる。
【００２７】
携帯電話網１０において、基地局１１は、携帯電話端末１から無音状態継続通知のメッセージを受信すると、その無音状態継続通知のメッセージに格納されている情報要素を解読することにより、切替先無線チャネル指定のメッセージを携帯電話端末１に送信する。
【００２８】
そして、携帯電話端末１において、ＣＰＵ２は、基地局１１から切替先無線チャネル指定のメッセージを受信すると、その切替先無線チャネル指定のメッセージに格納されている情報要素を解読することにより、通信チャネルの切替えを行う。尚、以上に説明した無音状態継続通知のメッセージは、制御チャネルを使用して通信するものであり、通信チャネルに影響を与えないものである。
【００２９】
以上に説明したように第２実施例によれば、携帯電話端末１において、無音状態を検出すると、無音継続監視タイマをスタートさせ、無音継続監視タイマがタイムアップしたことを検出すると、携帯電話システム内で独自に規定されている無音状態継続通知のメッセージを携帯電話網１０に送信し、携帯電話網１０において、携帯電話端末１から無音状態継続通知のメッセージを受信すると、切替先無線チャネル指定のメッセージを送信するように構成したので、これに応じて、携帯電話端末１は、携帯電話網１０から切替先無線チャネル指定のメッセージを受信すると、通信チャネルの切替えを行うようになる。
【００３０】
したがって、上記した第１実施例と同様にして、無音状態の原因となった通信チャネルから他の通信チャネルへの切替えを行うことにより、切替先の通信チャネルが正常であれば、これ以降、無音状態が長時間にわたって継続することを未然に回避することができ、音声を通信することができる。これにより、使い勝手の向上を図ることができ、また、通信料金が通信時間に依存する従量課金制を採用していれば、経済性の向上をも図ることができる。
【００３１】
（第３の実施の形態）
次に、本発明の第３実施例について、図４を参照して説明する。尚、上記した第２実施例と同一部分については説明を省略し、以下、異なる部分について説明する。
上記した第２実施例は、基地局１１が携帯電話端末１から無音状態継続通知のメッセージを受信したことに応じて切替先無線チャネル指定のメッセージを送信するように構成したものであるが、これに対して、この第３実施例は、基地局１１が携帯電話端末１から無音状態継続通知のメッセージを受信したことに応じて社団法人電波産業会により規格化されている無線チャネル切断のメッセージを送信するように構成したものである。
【００３２】
すなわち、この場合、携帯電話網１０において、基地局１１は、携帯電話端末１から無音状態継続通知のメッセージを受信すると、その無線状態継続通知のメッセージに格納されている情報要素を解読することにより、上記した第２実施例で説明した切替先無線チャネル指定のメッセージを送信することに代わって、無線チャネル切断のメッセージを送信する。
【００３３】
そして、携帯電話端末１において、ＣＰＵ２は、基地局１１から無線チャネル切断のメッセージを受信すると、その無線チャネル切断のメッセージに格納されている情報要素を解読することにより、通信チャネルの解放（切断）を行う。
【００３４】
以上に説明したように第３実施例によれば、携帯電話端末１において、無音状態を検出すると、無音継続監視タイマをスタートさせ、無音継続監視タイマがタイムアップしたことを検出すると、無音状態継続通知のメッセージを携帯電話網１０に送信し、携帯電話網１０において、携帯電話端末１から無音状態継続通知のメッセージを受信すると、無線チャネル切断のメッセージを送信するように構成したので、これに応じて、携帯電話端末１は、携帯電話網１０から無線チャネル切断のメッセージを受信すると、通信チャネルの解放を行うようになる。
【００３５】
したがって、無音状態の原因となった通信チャネルの解放を行うことにより、通信チャネルが正常に解放すれば、これ以降、無音状態が長時間にわたって継続することを未然に回避することができ、また、新たな発呼を行うことにより、その新たな発呼により確立した通信チャネルが正常であれば、音声を通信することができる。これにより、上記した第１実施例と同様にして、使い勝手の向上を図ることができ、また、通信料金が通信時間に依存する従量課金制を採用している場合であれば、経済性の向上をも図ることができる。
【００３６】
（第４の実施の形態）
次に、本発明の第４実施例について、図５を参照して説明する。尚、上記した第３実施例と同一部分については説明を省略し、以下、異なる部分について説明する。
上記した第３実施例は、基地局１１が携帯電話端末１から携帯電話システム内で独自に規定されている無音状態継続通知のメッセージを受信したことに応じて無線チャネル切断のメッセージを送信するように構成したものであるが、これに対して、この第４実施例は、携帯電話システム内で独自の他のメッセージを規定することにより、携帯電話端末１から携帯電話システム内で独自に規定されている他のメッセージを受信したことに応じて無線チャネル切断のメッセージを送信するように構成したものである。
【００３７】
すなわち、携帯電話システム内においては、通信チャネルの解放を要求するメッセージとして、無線チャネル切断要求のメッセージを規定している。
【００３８】
そして、この場合、携帯電話端末１において、ＣＰＵ２は、無音継続監視タイマがタイムアップしたことを検出すると、無線回路３を送信制御し、上記した第３実施例で説明した無音状態継続通知のメッセージを送信させることに代わって、上記した無線チャネル切断要求のメッセージを送信させる。
【００３９】
携帯電話網１０において、基地局１１は、携帯電話端末１から無線チャネル切断要求のメッセージを受信すると、その無線チャネル切断要求のメッセージに格納されている情報要素を解読することにより、無線チャネル切断のメッセージを携帯電話端末１に送信する。
【００４０】
そして、携帯電話端末１において、ＣＰＵ２は、基地局１１から無線チャネル切断のメッセージを受信すると、その無線チャネル切断のメッセージに格納されている情報要素を解読することにより、通信チャネルの解放を行う。尚、以上に説明した無線チャネル切断要求のメッセージも、制御チャネルを使用して通信するものであり、通信チャネルに影響を与えないものである。
【００４１】
以上に説明したように第４実施例によれば、携帯電話端末１において、無音状態を検出すると、無音継続監視タイマをスタートさせ、無音継続監視タイマがタイムアップしたことを検出すると、携帯電話システム内で独自に規定されている無線チャネル切断要求のメッセージを携帯電話網１０に送信し、携帯電話網１０において、携帯電話端末１から無線チャネル切断要求のメッセージを受信すると、無線チャネル切断のメッセージを送信するように構成したので、これに応じて、携帯電話端末１は、携帯電話網１０から無線チャネル切断のメッセージを受信すると、通信チャネルの解放を行うようになる。
【００４２】
したがって、上記した第３実施例と同様にして、無音状態の原因となった通信チャネルの解放を行うことにより、通信チャネルが正常に解放すれば、これ以降、無音状態が長時間にわたって継続することを未然に回避することができ、また、新たな発呼を行うことにより、その新たな発呼により確立した通信チャネルが正常であれば、音声を通信することができる。これにより、使い勝手の向上を図ることができ、また、通信料金が通信時間に依存する従量課金制を採用している場合であれば、経済性の向上をも図ることができる。
【００４３】
（その他の実施の形態）
本発明は、上記した実施例にのみ限定されるものでなく、次のように変形または拡張することができる。
無線通信端末は、携帯電話端末に限らず、無線状態報告２のメッセージを通信網に送信可能であったり、また、通信網から切替先無線チャネル指定のメッセージや無線チャネル切断のメッセージを受信可能なものであれば、他のものであっても良い。
【００４４】
無音状態を検出する方法は、音声符号化における量子化利得の値を判定する方法に限らず、他の方法であっても良い。
無音継続監視タイマの計測時間は、１０秒に限らず、他の値であっても良く、また、キーパッドにおけるキーの操作に応じて任意に設定可能な値であっても良い。
【図面の簡単な説明】
【図１】本発明の第１実施例を概略的に示す図
【図２】シーケンス図
【図３】本発明の第２実施例を示すシーケンス図
【図４】本発明の第３実施例を示すシーケンス図
【図５】本発明の第４実施例を示すシーケンス図
【符号の説明】
図面中、１は携帯電話端末（無線通信端末）、２はＣＰＵ（制御手段）、３は無線回路（無線手段）、１０は携帯電話網（通信網）である。
【図１】
0004228516.tif 000002
【図２】
0004228516.tif 000003
【図３】
0004228516.tif 000004
【図４】
0004228516.tif 000005
【図５】
0004228516.tif 000006